(57)【要約】  【課題】    用意する部材の種類、数を徒に多くすることなく、多種類の作業用ケースを用意できるようにし、着用ベルトの種類、収納すべき工具の種類、数に関する多様な必要、要望に設備費を徒に増すことなく応えることを可能にする。  【解決手段】作業用ケース１ａを、互いに独立したベルト側部材２と工具側部材４により構成することとする。そして、ベルト側部材２には係合軸１２を、工具側部材４には該係合軸１２に回動自在且つ着脱自在な軸係合部２６が設けられ、係合軸１２と軸係合部２６を係合させることにより作業用ケース１ａを構成するようにする。  軸係合部２６は、係合受け部２８と係合維持部３０からなる。係合受け部２８は係合軸１２を受けてベルト側部材２の係合軸１２を中心とする回動を許容しつつ係合軸１２の向きの変化を緩く規制するものである。【選択図】図１
2005088163.tif 000002
【特許請求の範囲】
【請求項１】
ベルトが挿通されるベルト挿通部を有してベルトに掛けられるベルト側部材と、
一又は複数の工具類を収納する収納部を有する工具側部材と、
からなり、
上記ベルト側部材と上記工具側部材のうちの一方に、該ベルト側部材のベルト挿通部に通されるベルトと略同じ向きに係合軸が設けられ、
上記ベルト側部材と上記工具側部材のうちの他方に、上記係合軸を受けて上記係合軸のある方の部材の該係合軸を中心とする回動を許容しつつ係合軸の向きの変化を緩く規制する係合受け部と、該係合受け部への上記係合軸の進入を阻む方向に付勢され、この付勢力に抗して該係合軸を上記係合受け部が受けるように進入させたときはその付勢力により該係合軸の進入経路を閉じる係合維持部とからなる軸係合部が設けられてなる
ことを特徴とする作業用ケース。
【請求項２】
一又は複数の工具類を収納する収納部を有する工具側部材とで作業用ケースを構成し、ベルトが挿通されるベルト挿通部を有してベルトに掛けられる作業用ケースのベルト側部材であって、
一部に、
上記ベルト挿通部に通されるベルトと略同じ向きの係合軸と、
上記係合軸を受けて上記係合軸のある方の部材のの該係合軸を中心とする回動を許容しつつ係合軸の向きの変化を緩く規制する係合受け部と、該係合受け部への上記係合軸の進入を阻む方向に付勢され、この付勢力に抗して該係合軸を上記係合受け部が受けるように進入させたときはその付勢力により該係合軸の進入経路を閉じる係合維持部とからなる軸係合部と、
のいずれか一方を、有する
ことを特徴とする作業用ケースのベルト側部材。
【請求項３】
ベルトが挿通されるベルト挿通部を有してベルトに掛けられるベルト側部材とで作業用ケースを構成し、一又は複数の工具類を収納する収納部を有する作業用ケースの工具側部材であって、
上記ベルト挿通部に通されるベルトと略同じ向きの係合軸と、
上記係合軸を受けて上記係合軸のある方の部材の該係合軸を中心とする回動を許容しつつ係合軸の向きの変化を緩く規制する係合受け部と、該係合受け部への上記係合軸の進入を阻む方向に付勢され、この付勢力に抗して該係合軸を上記係合受け部が受けるように進入させたときはその付勢力により該係合軸の進入経路を閉じる係合維持部とからなる軸係合部と、
のいずれか一方を、有する
ことを特徴とする作業用ケースの工具側部材。
【請求項４】
自己以外の工具側部材を着脱可能に保持する保持手段として、
前記ベルト挿通部に通されるベルトと略同じ向きの係合軸と、
上記係合軸を受けて上記係合軸のある方の部材の該係合軸を中心とする回動を許容しつつ係合軸の向きの変化を緩く規制する係合受け部と、該係合受け部への上記係合軸の進入を阻む方向に付勢され、この付勢力に抗して該係合軸を上記係合受け部が受けるように進入させたときはその付勢力により該係合軸の進入経路を閉じる係合維持部とからなる軸係合部と、
のいずれか一方を、有する
ことを特徴とする請求項３記載の作業用ケースの工具側部材。
【発明の詳細な説明】
【技術分野】
【０００１】
本発明は、作業用ケース、例えば、建築、建設、土木、電気工事等の現場にて作業する人がベルトに掛けて用い、各種工具を収納する作業用ケースと、そのベルト側部材及び工具側部材に関する。
【背景技術】
【０００２】
建設、土木、建築、電気工事等の現場では作業員が様々の工具類、例えばハッカー、ハンマー等の各種工具類を使用して作業をするので、使用する工具を入れる作業用ケースをズボンのベルト或いは安全ベルトにかけ、それに必要な工具類を入れて現場に臨む。そして、本願出願人会社は、そのような工具を収納する作業用ケースについて、例えば特願２００１−２７５９７５、特願２００１−２６９７１４等により技術的な提案をし、その提案内容が特開２００３−０８２８５６公報、特開２００３−０８０４７４号公報により公開されている。
【０００３】
ところで、従来の作業用ケースは、上述した提案、公開したものも含め、ベルトに掛ける部分と工具を収納する部分が一体に形成され、その間を分離することはできなかった。図５はそのような従来の作業用ケースの典型例を示す斜視図である。
図面において、ａは作業用ケース、ｂは例えば皮革或いは合成繊維等からなる基板で、その上端部ｃはそれより下の部分より幅が狭くされており、裏側に折り返され先端が該基板ｂにリベットｄ、ｄによるカシメにより固定され、それによりベルトを通すベルト挿通孔ｅが形成されるようになっている。
【０００４】
ｆは一つの工具類収納ポケットで、皮革等からなるポケット形成片ｇを、これの上辺を除く３辺を基板ｂの下部ｈの表側に縫着することにより構成されている。
ｉはポケット形成片ｇの上部を補強する補強金具で、リベットｊ、ｊ、・・・によりポケット形成片ｇと基板ｂにカシメで固定されている。ｋ、ｋ、ｋは補強のためのリベットで、ポケット形成片ｇの下部と基板ｂに固定されている。
【特許文献１】特開２００３−０８２８５６公報（特願２００１−２７５９７５）
【特許文献２】特開２００３−０８０４７４公報（特願２００１−２６９７１４）
【発明の開示】
【発明が解決しようとする課題】
【０００５】
ところで、作業用ケースには、非常の多くの種類のものがある。具体的には、先ず、ベルト挿通孔を有する部分にいくつかのタイプがあり、また、工具を入れる部分には、入れる工具の種類によって多くの種類がある。また、一種類の工具しか入れられないものもあれば、複数種の工具を入れられるものもある。
そして、デザインの豊富化から使用する作業用ケースを、着用するベルトの種類、使用する工具の種類のみならず、デザインの観点からも選択する傾向が現れている。特に、若い世代の作業者は古いタイプのデザインの作業用ケースを使用することを好まず、モダンなデザインの作業用ケースを好む傾向にある。また、最近、建築等に従事する建築技術者、作業者として若い女性が増え、女性作業者の趣味に合わせたデザインの作業用ケースを提供する必要性が生じ、提供する作業用ケースの種類の豊富化は止まるところを知らない。
【０００６】
従って、従来においては、作業用ケースのベルト側部分と工具収納側部分とが一体に形成されていたので、すべての、或いは多くのニーズに応えるには、ベルトに掛けられる部分の種類数と、工具を収納する部分の種類数とを乗算した種類数の作業用ケースを用意する必要があった。これでは、用意する作業用ケースの種類数が極めて多くなり、延いては用意する作業用ケースの数量が多くなるので、工事関係企業や作業者の設備費の増大に繋がるという大きな問題があった。
【０００７】
また、従来の作業用ケースはベルト側部分と工具収納側部分とが一体に形成されていたので、作業者の姿勢の変化、特に急激な変化に対応して柔軟に変形することができず、そのため、円滑な作業を妨げたり、不慮のトラブルにより作業者の姿勢の急激な変化を妨げて事故の原因となるおそれがあるという問題があった。
【０００８】
また、建築、その他の各種の工事現場においては、日によって、或いは一日における午前、午後等時間、時間帯等によって作業内容が変化することが多く、そのような場合、その変化に対応して使用する工具の種類が多い。
従って、作業員はベルトに数多くの工具を掛けて作業に臨む場合が多い。そして、一日内における作業内容の変化によって使用頻度の高い工具の種類が変化するので、それに応じて工具のベルトに掛ける場所を変化させることが作業の能率、安全に好ましい。
【０００９】
そのため、一日の作業における途中で、工具のベルトの掛ける位置を変える必要がある場合が少なくない。そして、従来においてその掛け換える場合、或いは、新しい工具を掛ける場合、ベルトの止め金具を解放し、現在掛けている工具の全部乃至一部をベルトから外し、その後、改めてベルトに必要な工具を必要な位置に掛けるという作業が必要となる。これには大変時間がかかるという問題があるのみならず、作業場所が高いとか、作業姿勢が拘束されるような場合、そのようなベルトに対する工具の着脱作業が非常に危険になる場合もあった。
【００１０】
本発明はこのような問題点を解決すべく為されたものであり、用意する部材の種類、数をいたずらに多くすることなく、多他種類の作業用ケースを用意できるようにし、着用ベルトの種類、収納すべき工具の種類、数に関する多様な必要、要望に設備費を徒に増すことなく応えることができるようにし、更には、作業者の姿勢の変化、特に急激な変化に対応して柔軟に変形することができるようにし、以て、円滑な作業が妨げられたり、不慮のトラブルにより作業者の姿勢の急激な変化が妨げられて事故が生じるおそれをなくし、更には、ベルトに対する工具の着脱を簡単に為し得るようにすることを目的とする。
【課題を解決するための手段】
【００１１】
請求項１の作業用ケースは、互いに独立したベルト側部材と、工具側部材からなり、これ等のうちの一方に、該ベルト側部材のベルト挿通部に通されるベルトと略同じ向きに係合軸が設けられ、これ等のうちの他方に、軸係合部が設けられてなることを特徴とする。
そして、上記軸係合部は、係合受け部と、係合維持部とからなる。該係合受け部は上記係合軸を受けて上記係合軸のある方の部材の該係合軸を中心とする回動を許容しつつ係合軸の向きの変化を緩く規制するものである。
また、該係合維持部は、該係合受け部への上記係合軸の進入を阻む方向に付勢され、この付勢力に抗して該係合軸を上記係合受け部が受けるように進入させたときはその付勢力により該係合軸の進入経路を閉じるように形成されている。
【００１２】
請求項２の作業用ケースのベルト側部材は、一部に、係合軸と、軸係合部とのいずれか一方を有することを特徴とする。尚、係合軸及び軸係合部は請求項１の作業用ケースにおける係合軸及び軸係合部と同じ構成である。
請求項３の作業用ケースの工具側部材は、一部に、軸係合部と、係合軸のいずれか一方を有することを特徴とする。尚、係合軸及び軸係合部は請求項１の作業用ケースにおける係合軸及び軸係合部と同じ構成である。
請求項４の作業用ケースの工具側部材は、請求項３記載の作業用ケースの工具側部材において、自己以外の工具側部材を着脱可能に保持する保持手段を有することを特徴とする。該保持手段は上記係合軸と上記軸係合部とのいずれか一方である。
【発明の効果】
【００１３】
請求項１の作業用ケースによれば、互いに独立したベルト側部材と、工具側部材からなるので、ベルト側部材と、工具側部材との組み合わせにより種々の作業用ケースを構成し得る。
従って、用意する部材の種類、数を徒に多くすることなく、多種類の作業用ケースを用意することができ、工事企業等が備える設備費を徒に増すことなく作業用ケース使用者側の多様なニーズに応えることができる。
【００１４】
そして、上記ベルト側部材と工具側部材との結合はそのうちの一方に形成された係合軸と、他方に形成された軸係合部との係合により為され、その係合は係合軸のある方の部材の該係合軸を中心とする回動を許容しつつ係合軸の向きの変化を緩く規制するものであるので、作業者の姿勢の変化、特に急激な変化に対応してその係合部を支点として柔軟に顔どうできる。以て、作業用ケースによって円滑な作業が妨げられたり、不慮のトラブルにより作業者の姿勢の急激な変化が妨げられて事故が生じるおそれをなくすことができる。
【００１５】
更に、ベルト側部材に対して、工具側部材を着脱することにより、実質的にベルトに掛ける工具の種類を切換えることができる。従って、ベルトの止め金具を解放してベルトから工具を取り外し、改めて工具をベルトに掛けるという面倒な作業を伴うことなく、ベルトに掛ける工具の種類や、掛ける工具の位置を切換えることができる。
依って、簡単且つ安全にベルトに掛ける工具の種類、位置の切換え、変更ができる。
【００１６】
請求項２の作業用ケースのベルト側部材によれば、一部に、係合軸と軸係合部とのいずれか一方を有するので、これ等の他方を有する工具側部材とで作業用ケースを構成することができる。
請求項３の作業用ケースの工具側部材によれば、一部に、係合軸と軸係合部とのいずれか一方を有するので、これ等の他方を有するベルト側部材とで作業用ケースを構成することができる。
請求項４の作業用ケースの工具側部材によれば、工具側部材自身とは別の工具側部材を保持する保持手段を有するので、一つのベルト側部材に一つの工具側部材を着脱自在に取り付け、さらにその工具側部材に別の工具側部材を着脱自在に取り付けたベルト側部材を構成することができ、他種類の工具を一つの作業用ケースに収納することを可能にすることができる。
【発明を実施するための最良の形態】
【００１７】
本発明作業用ケースの最良の形態は、ベルト側部材の方に係合軸を、工具側部材の方に軸係合部を設けるようにするという形態であり、後述する実施例もその形態で実施したものである。しかし、その形態とは逆のベルト側部材の方に軸係合部を、工具側部材の方に係合軸を設ける形態でも実施することができる。
また、請求項４に係る作業用ケースの工具側部材の最良の形態は、自己と別の工具側部材を着脱自在に保持する手段として係合軸を設け、該別の工具側部材に設けた軸係合部と係合するという形態であり、後述する、この請求項４に係る発明の実施例として示す工具側部材においてもそのような形態を採っている。しかし、自己と別の工具側部材を着脱自在に保持する手段として軸係合部を設け、該別の工具側部材に設けた係合軸と着脱自在に保持するような形態も採り得る。
【実施例１】
【００１８】
以下、本発明を図示実施例に従って詳細に説明する。
図１（Ａ）〜（Ｃ）は本発明作業用ケースの第１の実施例１ａを示すもので、（Ａ）は斜視図、（Ｂ）は縦断面図、（Ｃ）は（Ｂ）のＣに示す部分を拡大して示す拡大縦断面図である。
図面において、２はベルト側部材、４は工具側部材であり、本実施例１ａは該ベルト側部材２と工具側部材４からなる。６はベルト側部材２を構成するところの例えば皮革或いは合成繊維等からなる板で、裏側に折り返されてベルト挿通孔８が形成され、両端部が後述する係合軸（１２）と一体又は一体的に形成された係合軸保持部（１２ａ）を保持するリベット１０、１０、１０によるカシメにより固定されている。
【００１９】
１２は係合軸で、金属からなり、係合軸保持部１２ａと一体乃至一体的（例えば溶接により一体化された）に形成されており、該係合軸保持部１２ａにて上述したようにベルト側部材２に保持されている。該係合軸１２は上記ベルト挿通孔８に通るベルト（図示しない）と略同じ向きになるように、人体（身）に着けたとき略水平になるように取り付けられており、その長さが例えば１５ｍｍ〜３５ｍｍ程度、直径が例えば３ｍｍ〜７ｍｍ程度である。
１４は工具側部材４を構成するところの例えば皮革或いは合成繊維等からなる板、１６は一つの工具類収納ポケットで、皮革等からなるポケット形成片１８を、これの上辺を除く３辺を板１４の下部の表側に縫着することにより構成されている。
２０はポケット形成片１８の上部を補強する補強金具で、リベット２２、２２、・・・によりポケット形成片１８と板１４にカシメで固定されている。２３、２３、２３は補強のためのリベットで、ポケット形成片１８の下部と板１４にカシメ固定されている。
【００２０】
２６は工具側部材４の板１４の上辺に設けられた軸係合部で、上端部が逆Ｕ字状に曲折された金属製の板状の軸受け部２８と、下端部がＵ字状に曲折された金属製で板状の係合維持部３０とからなり、該軸受け部２８の下端部と、係合維持部３０のＵ字状に曲折された側の先端部とがリベット３２によるカシメにより上記板１４に固定されている。
該軸係合部２６は、通常時は、図１（Ｂ）に示すように、係合維持部３０の上端は軸受け部２８の曲折された部分の先端に内側から接するように自身の弾力により付勢されそれによって軸受け部２８の先端と係合維持部３０の先端どうしが接してその軸受け部２８と係合維持部３０によるリング状部分が閉じた状態になっている。
そして、上記係合維持部３０の上端部を図１（Ｃ）において２点鎖線に示す状態からその弾性力に抗して押すと、軸受け部２８と係合維持部３０によるリング状部分が図１（Ｃ）において実線に示すように開いてその部分を上記係合軸１２が通過し得るようになっている。
【００２１】
上記軸係合部２６の軸受け部２８は、上記係合軸１２を回動可能であって該係合軸１２の向きの変化を緩く（一定限度）に規制するよう受けることができるような形状、大きさを有しており、上記係合維持部３０の上端部をその弾性力に抗して押して上記リング状部分が開いた状態にしてその軸受け部２８に係合軸１２を係合させたり、係合状態を解除させたりすることができるようになっているのである。
従って、ベルト側部材２と工具側部材４とは着脱自在であり、ベルト側部材と、工具側部材との組み合わせを変えることにより種々の作業用ケースを構成し得る。
依って、用意する部材の種類、数を徒に多くすることなく、多他種類の作業用ケース１を用意することができ、工事企業等が備えるべき設備費を徒に増すことなく作業用ケース使用者の多様なニーズに応えることができる。
【００２２】
また、 上記ベルト側部材２と工具側部材４との結合は、そのうちの一方であるベルト側部材２に形成された係合軸１２と、他方である工具側部材４に形成された軸係合部２６との係合により為されるので、ベルト側部材に対して、工具側部材を着脱することにより、実質的にベルトに掛ける工具の種類を切換えることができる。
従って、ベルトの止め金具を解放してベルトから工具を取り外し、改めて工具をベルトに掛けるという面倒な作業を伴うことなく、ベルトに掛ける工具の種類や、掛ける工具の位置を切換えることができる。
依って、簡単且つ安全にベルトに掛ける工具の種類、位置の切換え、変更ができる。
【００２３】
そして、上記ベルト側部材２と工具側部材４との係合はベルト側部材２の工具側部材４に対する回動を許容しつつ係合軸１２の向きの変化を緩く規制するものであるので、作業者の姿勢の変化、特に急激な変化に対応してその係合軸１２を支点として柔軟に回動できる。以て、作業用ケース１ａによって円滑な作業が妨げられたり、不慮のトラブルにより作業者の姿勢の急激な変化が妨げられて事故が生じるおそれをなくすことができる。
【実施例２】
【００２４】
図２は本発明作業用ケースの第２の実施例１ｂを示す斜視図である。本実施例１ｂのベルト側部材２は上記第１の実施例１ａのベルト側部材２と構成が全く同じである。また、本実施例１ｂの工具側部材４ａは上記第１の実施例１ｂの工具側部材４とは、上部の補強金具２０に係合軸１２がこれと一体乃至一体的に取り付けられた係合軸保持部１２ａにて取り付けられている点でのみ異なり、それ以外の点では全く同じ構成である。そして、ベルト側部材２と工具側部材４ａとの結合は、上記第１の実施例１ａにおけるベルト側部材２と工具側部材４との結合と全く同じである。
４ｂは上記工具側部材４ａと別の工具側部材で、該工具側部材４ａの上記係合軸１２に軸係合部２６にて着脱自在であって回動自在に取り付けられている。即ち、工具側部材４ｂは上端部に工具側部材４或いは工具側部材４ａの軸係合部２６と同じ構造の軸係合部２６を有し、該軸係合部２６が工具側部材４ａの係合軸１２に着脱自在であって回動自在に取り付けられるようになっている。
【００２５】
このような実施例１ｂによれば、工具側部材４ａには、該工具側部材４ａ自身とは別の工具側部材４ｂを保持することができるので、一つのベルト側部材２に一つの工具側部材４ａを着脱自在に取り付け、さらにその工具側部材４ａに別の工具側部材４ｂを着脱自在に取り付けた作業用ケースを構成することができ、他種類の工具を一つの作業用ケースに収納することを可能にすることができる。
【実施例３】
【００２６】
図３は本発明作業用ケースの第３の実施例１ｃを示す斜視図である。本実施例１ｃはそれを構成するベルト側部材２が図１、図２に示す実施例１ａ、１ｂのベルト側部材２と構成が全く同じである。また、工具側部材４ｃは、図２に示す実施例１ｂの工具側部材４ｂと同じである。
このように、係合軸１２をベルト側部材２と工具側部材４のいずれか一方、例えばベルト側部材２に、軸係合部２６を他方、例えば工具側部材４に取り付けるというように取り付け方を定め（その逆、即ち、係合軸１２を工具側部材４に、軸係合部２６をベルト側部材２に取り付けをすることとする取り付け方の定めもあり得る。）て規格化し、更に、係合軸１２とそれに着脱自在に係合する軸係合部２６それぞれについて形状、寸法を同一に規格化（統一化）するならば、作業用ケースのベルト側部材と工具側部材の組み合わせ、機能の多様性が膨大に増える。
【実施例４】
【００２７】
図４は本発明作業用ケースの第４の実施例１ｄを示す斜視図である。２ａは金属製の略板状ベルト側部材で、数十ｍｍ程度離間した一対のベルト挿通孔８ａ、８ａを有し、該両ベルト挿通孔８ａ、８ａに一つのベルト３６を通すことにより該ベルト３６に該ベルト側部材２ａが掛けられた状態になるようになっている。そして、該ベルト側部材２ａの下端部に係合軸１２ａが設けられている。
４ｄは工具側部材で、金属板３８に略Ｕ字状に曲折した金属棒４０の両端部を固定して、レンチ４２を収納できるようにしたものであり、該金属版３８の上端部には、それと例えば一体的に軸係合部２６が形成されている。そして、該係合部２６にて上記係合軸１２ａに着脱自在であって回動自在に取り付けられている。
【００２８】
上記略Ｕ字状に曲折された金属棒４０はレンチ４２を収納する収納手段としての役割を果たすが、それと共に、その中間部が係合軸１２ｃとしての役割をも果たす。４ｆも工具側部材で、金属板４４に略半円状に曲折した金属棒４６の両端部を固定して例えばハンマ４８を収納することができるようにしたものであり、該金属板４４の上端部にはそれと例えば一体的に軸係合部２６が形成されている。そして、該係合部２６にて上記係合軸１２ｃに着脱自在であって回動自在に取り付けられている。
本発明はこのように種々の態様で実施することができる。
【産業上の利用可能性】
【００２９】
本発明は、作業用ケース、例えば、建築、建設、土木等の現場にて作業する人がベルトに掛けて用い、各種工具を収納する作業用ケースと、そのベルト側部材及び工具側部材に適用することができる。
【図面の簡単な説明】
【００３０】
【図１】（Ａ）〜（Ｃ）は本発明作業用ケースの第１の実施例１ａを示すもので、（Ａ）は斜視図、（Ｂ）は縦断面図、（Ｃ）は（Ｂ）のＣに示す部分を拡大して示す拡大縦断面図である。
【図２】本発明作業用ケースの第２の実施例を示す斜視図である。
【図３】本発明作業用ケースの第３の実施例を示す斜視図である。
【図４】本発明作業用ケースの第４の実施例の斜視図である。
【図５】作業用ケースの従来例の一つを示す斜視図である。
【符号の説明】
【００３１】
１ａ、１ｂ、１ｃ、１ｄ・・・作業用ケース（実施例）、２、２ａ・・・ベルト側部材、
４、４ａ、４ｂ、４ｃ、４ｄ、４ｅ・・・工具側部材、
８、８ａ・・・ベルト挿通部（ベルト挿通孔）、
１２、１２ａ、１２ｂ、１２ｃ・・・係合軸、１６・・・工具収納部、
２６・・・軸係合部、２８・・・軸受け部、３０・・・係合維持部、３６・・・ベルト、
４０、４６・・・工具収納部、４２、４８・・・工具。
【図１】
2005088163.tif 000003
【図２】
2005088163.tif 000004
【図３】
2005088163.tif 000005
【図４】
2005088163.tif 000006
【図５】
2005088163.tif 000007